(57)【特許請求の範囲】
【請求項１】
設定情報を管理する第１の設定管理アプリケーションを保持する第１の情報処理端末と、
前記第１の情報処理端末と通信可能な第２の情報処理端末と、
を備え、
前記第１の設定管理アプリケーションは、
所定の入力を受けると、少なくとも所定のＵＲＩ（Uniform Resource Identifier）に置かれた第２の設定管理アプリケーションのリクエスト及び前記第１の設定管理アプリケーションで管理している設定情報の中から該所定の入力で指定された設定情報のインポートを指示するコマンドを含む記述を生成して前記第２の情報処理端末に送信し、
前記第２の情報処理端末は、
前記第１の情報処理端末より受信した前記記述に従い、前記第２の設定管理アプリケーションにアクセスし、
アクセスされることによって起動された第２の設定管理アプリケーションは、
前記コマンドにより指示される設定情報を前記第２の設定管理アプリケーションにインポートする、
設定情報管理システム。
【請求項２】
前記第１の設定管理アプリケーションは、
撮影装置と通信可能であり、
前記撮影装置に関する設定情報を含む所定のユーザインタフェース画面を前記第１の情報処理端末の表示画面上に表示し、
前記ユーザインタフェース画面に対するユーザの操作入力に従って前記設定情報に対する処理を行う、
請求項１に記載の設定情報管理システム。
【請求項３】
前記第１の設定管理アプリケーションは、
前記撮影装置から受信した設定情報の設定値が前記ユーザインタフェース画面上での表示に未対応な値であるとき、該未対応な値をバックグラウンドで管理すると共に該ユーザインタフェース画面上に代替の情報を表示する、
請求項２に記載の設定情報管理システム。
【請求項４】
前記第１の設定管理アプリケーションは、
複数項目の設定情報をまとめた設定情報セットを複数種類管理し、
前記複数種類の設定情報セットを前記ユーザインタフェース画面上で所定の優先順位に従って並べて表示する、
請求項２又は請求項３に記載の設定情報管理システム。
【請求項５】
前記撮影装置に前記設定情報セットが少なくとも１つ保存されており、
前記第１の設定管理アプリケーションは、
前記複数種類の設定情報セットのうち、前記撮影装置に保存されている設定情報セットと同一性が高いと推定されるものを、前記ユーザインタフェース画面上で上位に並べて表示する、
請求項４に記載の設定情報管理システム。
【請求項６】
前記撮影装置に前記設定情報セットが少なくとも１つ保存されており、
前記第１の設定管理アプリケーションは、
前記複数種類の設定情報セットのうち、前記撮影装置に保存されている設定情報セットと同一性が高いと推定されるものに、所定の識別子を付けて前記ユーザインタフェース画面上に表示する、
請求項４又は請求項５に記載の設定情報管理システム。
【請求項７】
前記第１の設定管理アプリケーションは、
前記複数種類の設定情報セットのうち、前記撮影装置に保存されている設定情報セットと同一名称が付されたものを、該撮影装置に保存されている設定情報セットと同一性が高いと推定する、
請求項５又は請求項６に記載の設定情報管理システム。
【請求項８】
前記撮影装置は、
１つの前記設定情報セットを保存可能な保存領域を２以上有しており、
前記第１の設定管理アプリケーションは、
前記複数種類の設定情報セットの中から１つの設定情報セットが転送対象として指定されたとき、
前記転送対象と同一性が高いと推定される設定情報セットが保存されている保存領域があるか否かを判定し、
判定結果に基づいて前記転送対象の転送後の保存先となる保存領域を選択する、
請求項５から請求項７の何れか一項に記載の設定情報管理システム。
【請求項９】
前記第１の設定管理アプリケーションは、
前記転送対象と同一性が高いと推定される設定情報セットが保存されている保存領域があると判定されると、該保存領域を該転送対象の転送後の保存先として選択し、
前記転送対象と同一性が高いと推定される設定情報セットが保存されている保存領域がないと判定されると、
前記設定情報セットが保存されていない保存領域があるか否かを判定し、
判定結果に基づいて前記転送対象の転送後の保存先となる保存領域を選択する、
請求項８に記載の設定情報管理システム。
【請求項１０】
前記第１の設定管理アプリケーションは、
前記設定情報セットが保存されていない保存領域があると判定されると、該保存領域を該転送対象の転送後の保存先として選択し、
前記設定情報セットが保存されていない保存領域がないと判定されると、前回の転送時と同じ保存領域を該転送対象の転送後の保存先として選択する、
請求項９に記載の設定情報管理システム。
【発明の詳細な説明】
【技術分野】
【０００１】
本発明は、設定情報を管理する設定情報管理システムに関する。
【背景技術】
【０００２】
撮影装置等の電子機器の多機能化が進んでいる。電子機器の多機能化に伴い、電子機器の設定項目が増加して複雑化している。そこで、例えば、特許文献１に、ユーザにより作成されたカメラの設定情報を他のカメラにも容易に反映することができるようにメモリカード等の記憶媒体に保存する技術が記載されている。
【先行技術文献】
【特許文献】
【０００３】
【特許文献１】特許第４７８５６６４号公報
【発明の概要】
【発明が解決しようとする課題】
【０００４】
しかし、特許文献１に記載の構成では、メモリカードを一方のカメラから他方のカメラに物理的に移送しなければ、設定情報を他方のカメラに反映することができないという問題が指摘される。
【課題を解決するための手段】
【０００５】
本発明の一実施形態に係る設定情報管理システムは、設定情報を管理する第１の設定管理アプリケーションを保持する第１の情報処理端末と、第１の情報処理端末と通信可能な第２の情報処理端末とを備える。第１の設定管理アプリケーションは、所定の入力を受けると、少なくとも所定のＵＲＩ（Uniform Resource Identifier）に置かれた第２の設定管理アプリケーションのリクエスト及び第１の設定管理アプリケーションで管理している設定情報の中から該所定の入力で指定された設定情報のインポートを指示するコマンドを含む記述を生成して第２の情報処理端末に送信する。第２の情報処理端末は、第１の情報処理端末より受信した記述に従い、第２の設定管理アプリケーションにアクセスする。アクセスされることによって第２の情報処理端末上で起動された第２の設定管理アプリケーションは、コマンドにより指示される設定情報を第２の設定管理アプリケーションにインポートする。
【０００６】
また、本発明の一実施形態において、第１の設定管理アプリケーションは、撮影装置と通信可能であり、撮影装置に関する設定情報を含む所定のユーザインタフェース画面を第１の情報処理端末の表示画面上に表示し、ユーザインタフェース画面に対するユーザの操作入力に従って設定情報に対する処理を行う構成としてもよい。
【０００７】
また、本発明の一実施形態において、第１の設定管理アプリケーションは、撮影装置から受信した設定情報の設定値がユーザインタフェース画面上での表示に未対応な値であるとき、該未対応な値をバックグラウンドで管理すると共に該ユーザインタフェース画面上に代替の情報を表示する構成としてもよい。
【０００８】
また、本発明の一実施形態において、第１の設定管理アプリケーションは、複数項目の設定情報をまとめた設定情報セットを複数種類管理し、複数種類の設定情報セットをユーザインタフェース画面上で所定の優先順位に従って並べて表示する構成としてもよい。
【０００９】
また、本発明の一実施形態においては、例えば、撮影装置に設定情報セットが少なくとも１つ保存されている。この場合において、第１の設定管理アプリケーションは、複数種類の設定情報セットのうち、撮影装置に保存されている設定情報セットと同一性が高いと推定されるものを、ユーザインタフェース画面上で上位に並べて表示する構成としてもよい。
【００１０】
また、第１の設定管理アプリケーションは、複数種類の設定情報セットのうち、撮影装置に保存されている設定情報セットと同一性が高いと推定されるものに、所定の識別子を付けてユーザインタフェース画面上に表示する構成としてもよい。
【００１１】
また、本発明の一実施形態において、第１の設定管理アプリケーションは、複数種類の設定情報セットのうち、撮影装置に保存されている設定情報セットと同一名称が付されたものを、該撮影装置に保存されている設定情報セットと同一性が高いと推定する構成としてもよい。
【００１２】
また、本発明の一実施形態において、撮影装置は、１つの設定情報セットを保存可能な保存領域を２以上有する構成としてもよい。この構成において、第１の設定管理アプリケーションは、複数種類の設定情報セットの中から１つの設定情報セットが転送対象として指定されたとき、転送対象と同一性が高いと推定される設定情報セットが保存されている保存領域があるか否かを判定し、判定結果に基づいて転送対象の転送後の保存先となる保存領域を選択する構成としてもよい。
【００１３】
また、本発明の一実施形態において、第１の設定管理アプリケーションは、転送対象と同一性が高いと推定される設定情報セットが保存されている保存領域があると判定されると、該保存領域を該転送対象の転送後の保存先として選択し、転送対象と同一性が高いと推定される設定情報セットが保存されている保存領域がないと判定されると、設定情報セットが保存されていない保存領域があるか否かを判定し、判定結果に基づいて転送対象の転送後の保存先となる保存領域を選択する構成としてもよい。
【００１４】
また、本発明の一実施形態において、第１の設定管理アプリケーションは、設定情報セットが保存されていない保存領域があると判定されると、該保存領域を該転送対象の転送後の保存先として選択し、設定情報セットが保存されていない保存領域がないと判定されると、前回の転送時と同じ保存領域を該転送対象の転送後の保存先として選択する構成としてもよい。
【００１５】
本発明の一実施形態によれば、メモリカード等の物理的要素の移送が無くても一方の情報処理端末から他方の情報処理端末に設定情報を容易に移すことができる設定情報管理システムが提供される。
【図面の簡単な説明】
【００１６】
【図１】本発明の一実施形態に係る設定情報管理システムの構成を示すブロック図である。
【図２】本発明の一実施形態に係る設定情報管理システムに備えられる撮影装置の構成を示すブロック図である。
【図３】本発明の一実施形態に係る設定情報管理システムに備えられる携帯型情報処理端末の構成を示すブロック図である。
【図４】本発明の一実施形態に係る設定情報管理システムに備えられるＷｅｂサーバの構成を示すブロック図である。
【図５】本発明の一実施形態に係るＷｅｂアプリケーションのトップ画面を示す図である。
【図６】本発明の一実施形態に係るＷｅｂアプリケーションの編集画面を示す図である。
【図７】本発明の一実施形態に係るＷｅｂアプリケーションのアップロード画面を示す図である。
【図８】本発明の一実施形態に係るＷｅｂアプリケーションのコンフィグレーション画面を示す図である。
【図９】本発明の一実施形態に係るＷｅｂアプリケーションのアバウト画面を示す図である。
【図１０】本発明の一実施形態において実行される設定情報セットのデータのエクスポート及びインポートに関するシーケンスを示す図である。
【図１１】本発明の一実施形態に係るＷｅｂアプリケーションのエクスポート画面を示す図である。
【図１２】本発明の一実施形態においてエクスポートデータを受信した携帯型情報処理端末上で自動起動されたＷｅｂアプリケーションの画面を示す図である。
【発明を実施するための形態】
【００１７】
以下、本発明の一実施形態に係る設定情報管理システムについて図面を参照しながら説明する。
【００１８】
［設定情報管理システム１の構成］
図１は、本発明の一実施形態に係る設定情報管理システム１の構成を示すブロック図である。図１に示されるように、設定情報管理システム１は、複数台の撮影装置１０、複数台の携帯型情報処理端末２０及び少なくとも１台のＷｅｂサーバ３０を備えている。
【００１９】
本実施形態では、複数のユーザＡ、Ｂ・・・Ｎが、それぞれ、撮影装置１０と携帯型情報処理端末２０を１台ずつ保有しているものとする。説明の便宜上、ユーザＡが保有している撮影装置１０、携帯型情報処理端末２０をそれぞれ、撮影装置１０Ａ、携帯型情報処理端末２０Ａと記す。他のユーザが保有している撮影装置１０、携帯型情報処理端末２０についても同じ規則で符号付けする。
【００２０】
本実施形態において、撮影装置１０はコンパクトデジタルカメラであり、携帯型情報処理端末２０はスマートフォンである。別の実施形態では、撮影装置１０は、デジタル一眼レフカメラ、ミラーレス一眼カメラ、ビデオカメラ、カムコーダなど、別の形態の撮影装置であってもよい。また、携帯型情報処理端末２０は、ノートＰＣ、タブレットＰＣ、携帯ゲーム機など、別の形態の情報処理端末であってもよい。
【００２１】
［撮影装置１０の構成］
図２は、本発明の一実施形態に係る撮影装置１０の構成を示すブロック図である。図２に示されるように、撮影装置１０は、システムコントローラ１００、操作部１０２、駆動回路１０４、撮影レンズ１０６、絞り１０８、シャッタ１１０、固体撮像素子１１２、信号処理回路１１４、画像処理エンジン１１６、バッファメモリ１１８、ＬＣＤ（Liquid Crystal Display）１２０、ＲＯＭ（Read Only Memory）１２２、不揮発性メモリ１２４、カード用インタフェース１２６及びＷｉ−Ｆｉインタフェース１２８を備えている。なお、撮影レンズ１０６は複数枚構成のズームレンズであるが、図２においては、便宜上一枚のレンズとして示す。
【００２２】
操作部１０２には、電源ボタンやレリーズボタン、撮影モードボタンなど、ユーザが撮影装置１０を操作するために必要な各種ボタンやダイヤルが含まれる。ユーザにより電源ボタンが操作されると、図示省略されたバッテリから撮影装置１０の各種回路に電源ラインを通じて電源供給が行われる。
【００２３】
システムコントローラ１００は、ＣＰＵ（Central Processing Unit）及びＤＳＰ（Digital Signal Processor）を含む。システムコントローラ１００は電源供給後、ＲＯＭ１２２にアクセスして制御プログラムを読み出してワークエリア（不図示）にロードし、ロードされた制御プログラムを実行することにより、撮影装置１０全体の制御を行う。
【００２４】
例えば、レリーズボタンが操作されると、システムコントローラ１００は、固体撮像素子１１２により撮像された画像に基づいて計算された測光値や、撮影装置１０に内蔵された露出計（不図示）で測定された測光値に基づき適正露出が得られるように、駆動回路１０４を介して絞り１０８及びシャッタ１１０を駆動制御する。
【００２５】
より詳細には、絞り１０８及びシャッタ１１０の駆動制御は、プログラムＡＥ（Automatic Exposure）、シャッタ優先ＡＥ、絞り優先ＡＥなど、撮影モードボタンにより指定されるＡＥ機能に基づいて行われる。
【００２６】
また、システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ１０６を駆動制御し、撮影レンズ１０６の焦点を調整する。なお、この種のＡＥ及びＡＦの構成及び制御については周知であるため、ここでの詳細な説明は省略する。
【００２７】
被写体からの光束は、撮影レンズ１０６、絞り１０８、シャッタ１１０を通過して固体撮像素子１１２の受光面にて受光される。固体撮像素子１１２は、ベイヤ型画素配置を有する単板式カラーＣＭＯＳ（Complementary Metal Oxide Semiconductor）イメージセンサである。
【００２８】
固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＭＯＳイメージセンサに限らず、ＣＣＤ（Charge Coupled Device）イメージセンサやその他の種類の撮像装置に置き換えられてもよい。固体撮像素子１１２はまた、補色系フィルタを搭載したものであってもよい。
【００２９】
信号処理回路１１４は、固体撮像素子１１２より入力される画像信号に対してクランプ、デモザイク等の所定の信号処理を施して、画像処理エンジン１１６に出力する。
【００３０】
画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。
【００３１】
バッファメモリ１１８は、画像処理エンジン１１６による処理の実行時、処理データの一時的な保存場所として用いられる。また、撮影画像データの保存形式は、ＪＰＥＧ形式に限らず、最小限の画像処理（例えば黒レベルの補正等）しか施されないＲＡＷ形式であってもよい。
【００３２】
カード用インタフェース１２６のカードスロットには、メモリカード（不図示）が着脱可能に挿し込まれる。
【００３３】
画像処理エンジン１１６は、カード用インタフェース１２６を介してメモリカードと通信可能である。画像処理エンジン１１６は、生成された撮影画像データをメモリカード又は不揮発性メモリ１２４に保存する。なお、撮影装置１０は、電源投入後、Ｗｅｂサーバとして稼働する。これにより、クライアントは、メモリカードや不揮発性メモリ１２４に保存された撮影画像データや動画データにアクセスするなど、撮影装置１０との間で通信することができる。
【００３４】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ１２０に出力する。
【００３５】
ＬＣＤ１２０は、画像処理エンジン１１６より入力される画像信号を基に液晶を変調制御する。これにより、被写体の撮影画像がＬＣＤ１２０の表示画面に表示される。ユーザは、ＡＥ制御及びＡＦ制御に基づいて適正な露出及びピントで撮影されたリアルタイムのスルー画（ライブビュー）を、ＬＣＤ１２０の表示画面を通じて視認することができる。
【００３６】
画像処理エンジン１１６は、ユーザにより撮影画像の再生操作が行われると、操作により指定された撮影画像データをメモリカード又は不揮発性メモリ１２４より読み出して所定のフォーマットの画像信号に変換し、ＬＣＤ１２０に出力する。ＬＣＤ１２０が画像処理エンジン１１６より入力される画像信号を基に液晶を変調制御することで、被写体の撮影画像がＬＣＤ１２０の表示画面に表示される。
【００３７】
［携帯型情報処理端末２０の構成］
図３は、本発明の一実施形態に係る携帯型情報処理端末２０の構成を示すブロック図である。図３に示されるように、携帯型情報処理端末２０は、ＣＰＵ２００、ＲＡＭ（Random Access Memory）等の主記憶装置２０２、フラッシュメモリ等の補助記憶装置２０４、キャリア通信インタフェース２０６、Ｗｉ−Ｆｉインタフェース２０８及びタッチパネル２１０を備えている。なお、図３及び後述の図４においては、図面を簡略化する便宜上、各ブロックの結線の図示を省略している。
【００３８】
ＣＰＵ２００は、携帯型情報処理端末２０の電源投入後、必要なハードウェアにアクセスする。具体的には、ＣＰＵ２００は、補助記憶装置２０４にアクセスしてＯＳ（Operating System）２０４ａを読み出して、主記憶装置２０２にロードして起動させる。以後、ＣＰＵ２００とＯＳ２０４ａとが協働することにより、携帯型情報処理端末２０による各種処理が実行される。例えば、補助記憶装置２０４には、ブラウザ２０４ｂをはじめとする複数種類のアプリケーションがインストールされている。各種アプリケーションは、ＯＳ２０４ａによるリソース及びプロセスの管理下で動作する。
【００３９】
ブラウザ２０４ｂは、例えばＨＴＭＬ（Hyper Text Markup Language）、ＣＳＳ（Cascading Style Sheets）、JavaScript（登録商標）等及びこれらの関連仕様を解釈可能なＷｅｂブラウザである。ブラウザ２０４ｂは、ＨＴＴＰ（Hypertext Transfer Protocol）に準拠したリクエスト・メッセージを生成し、ユーザ操作等により指定されたＵＲＩ（Uniform Resource Identifier）にアクセスして、Ｗｅｂページ等のコンテンツをダウンロードする。
【００４０】
ブラウザ２０４ｂは、ダウンロードされたＨＴＭＬコンテンツ等の解釈、ＤＯＭ（Document Object Model）ツリー、レイアウトツリー等の生成を行う。ブラウザ２０４ｂは、レイアウトが決定されたコンテンツの各要素を主記憶装置２０２内のイメージバッファに逐次レンダリングする。
【００４１】
イメージバッファにレンダリングされた内容は、図示省略されたＶＲＡＭ（Video Random Access Memory）に転送される。レンダリング結果がＶＲＡＭに転送されることにより、コンテンツがタッチパネル２１０上に表示される。
【００４２】
ユーザは、タッチパネル２１０上に表示されたコンテンツに対してペンタッチやフィンガタッチによる入力や、フリック操作（画面上を指ではらう操作）による画面スクロール、ピンチ操作（二本の指の間を画面上で拡げる又は縮める操作）によるズームイン／ズームアウト等の各種操作を行うことができる。
【００４３】
［Ｗｅｂサーバ３０の構成］
図４は、本発明の一実施形態に係るＷｅｂサーバ３０の構成を示すブロック図である。図４に示されるように、Ｗｅｂサーバ３０は、ＣＰＵ３００、ＲＡＭ等の主記憶装置３０２、ＨＤＤ（Hard Disk Drive）等の補助記憶装置３０４及び通信インタフェース３０６を備えている。補助記憶装置３０４には、ＷｅｂコンテンツとしてＷｅｂアプリケーション３０４ａが保存されている。
【００４４】
［Ｗｅｂアプリケーション３０４ａの動作］
Ｗｅｂアプリケーション３０４ａは、撮影装置１０の設定情報を管理する設定管理アプリケーションであり、例えばJavaScript（登録商標）等のプログラムが埋め込まれたＨＴＭＬファイルである。
【００４５】
携帯型情報処理端末２０は、キャリア通信インタフェース２０６を介して３Ｇ（3rd Generation）回線やＬＴＥ（Long Term Evolution）回線等のキャリア回線に接続し、Ｗｅｂサーバ３０にアクセスすることができる。ブラウザ２０４ｂは、Ｗｅｂサーバ３０のＷｅｂアプリケーション３０４ａのＵＲＬ（Uniform Resource Locator）が指定されると、ＧＥＴコマンドによってＷｅｂアプリケーション３０４ａをリクエストする。
【００４６】
Ｗｅｂサーバ３０は、ブラウザ２０４ｂより受け取ったリクエストに従い、補助記憶装置３０４に保存されているＷｅｂアプリケーション３０４ａをブラウザ２０４ｂに送信する。ブラウザ２０４ｂは、Ｗｅｂサーバ３０よりダウンロードされたＷｅｂアプリケーション３０４ａをメモリ（例えば不揮発性メモリ１２４）に保存し、保存されたＷｅｂアプリケーション３０４ａに含まれるリソースを解釈等する。これにより、Ｗｅｂアプリケーション３０４ａが起動してトップ画面がタッチパネル２１０上に表示される。
【００４７】
携帯型情報処理端末２０は、ユーザの所定の操作入力を受けると、Ｗｉ−Ｆｉ設定画面に遷移する。Ｗｉ−Ｆｉ設定画面は、携帯型情報処理端末２０（Ｗｅｂアプリケーション３０４ａ）と撮影装置１０とを連携させるため、撮影装置１０をアクセスポイントとして設定するための画面である。
【００４８】
Ｗｉ−Ｆｉ設定画面には、ペアリングに必要な「ＳＳＩＤ（Service Set Identifier）」及び「Ｐａｓｓｗｏｒｄ」を入力するためのフォームが配置されており、更に、無線チャンネルを設定（自動設定／手動設定）するためのラジオボタン（Ａｕｔｏ／Ｍａｎｕａｌ）が配置されている。携帯型情報処理端末２０は、これらの設定が入力され、入力された設定が保存されると、撮影装置１０をアクセスポイントとして登録する。これにより、携帯型情報処理端末２０と撮影装置１０とがＷｉ−Ｆｉ接続される。
【００４９】
ブラウザ２０４ｂにおいてＷｅｂアプリケーション３０４ａのＵＲＬへのアクセスが行われると、Ｗｅｂアプリケーション３０４ａは、Ｗｉ−Ｆｉ接続された撮影装置１０上で稼働中のＷｅｂサーバに再接続すると同時に、図５に示されるトップ画面を携帯型情報処理端末２０のタッチパネル２１０上に表示する。
【００５０】
なお、携帯型情報処理端末２０は、（トルツメ）登録されているアクセスポイントを自動サーチし、サーチされたアクセスポイントに自動でＷｉ−Ｆｉ接続する。一例として、撮影装置１０Ａと携帯型情報処理端末２０ＡとがＷｉ−Ｆｉ接続圏内にある場合を考える。この場合、携帯型情報処理端末２０Ａは、Ｗｉ−Ｆｉ有効化時にアクセスポイントの自動サーチを行い、サーチされた撮影装置１０Ａに自動でＷｉ−Ｆｉ接続する。
【００５１】
また、Ｗｅｂアプリケーション３０４ａは、トップ画面の左上隅に表示される円弧状の矢印アイコン（図５参照）４０２がタッチ操作されると、撮影装置１０上で稼働中のＷｅｂサーバに再接続する。
【００５２】
図５に示されるように、Ｗｉ−Ｆｉ接続後のトップ画面には「ＭＹ  ＳＥＴＴＩＮＧＳ」及び「ＳＥＴ  ＩＮ  ＣＡＭＥＲＡ」が表示される。
【００５３】
トップ画面の「ＭＹ  ＳＥＴＴＩＮＧＳ」には、Ｗｅｂアプリケーション３０４ａで管理されている設定情報のセット（以下、「設定情報セット」と記す。）へのリンクボタンがリスト表示される。図５の例では、「Ｐｏｒｔｒａｉｔ」、「Ｌａｎｄｓｃａｐｅ」、「Ｎｉｇｈｔ  Ｐｏｒｔｒａｉｔ」、「Ｃｏｏｋｉｎｇ」、「Ｎｉｇｈｔ  Ｌａｎｄｓｃａｐｅ」の名称が付された設定情報セットへのリンクボタンがリスト表示されている。
【００５４】
設定情報セットには、その名称、任意のテキスト（設定情報セットの説明文等）及び撮影装置１０に関する複数項目の設定情報等が含まれる。設定情報セットに含まれる、撮影装置１０に関する設定情報には、例えば、撮影装置１０の撮影モード、絞り値（Ｆ値）、シャッタスピード、フォーマットサイズ、アスペクト比、エフェクト等がある。
【００５５】
ここで、撮影装置１０は、１つの設定情報セットを保存可能な保存領域を例えば不揮発性メモリ１２４内に合計で３つ有している。すなわち、撮影装置１０は、最大で３種類の設定情報セットを保存することができる。以下、３つの保存領域のそれぞれに「ＭＹ１」、「ＭＹ２」、「ＭＹ３」の符号を付す。本実施形態では、保存領域ＭＹ１、ＭＹ２、ＭＹ３のそれぞれに、「Ｐｏｒｔｒａｉｔ」、「Ｌａｎｄｓｃａｐｅ」、「Ｎｉｇｈｔ  Ｐｏｒｔｒａｉｔ」の名称が付された設定情報セットが保存されているものとする。
【００５６】
Ｗｅｂアプリケーション３０４ａは、「ＭＹ  ＳＥＴＴＩＮＧＳ」において、各設定情報セットへのリンクボタンを原則的にはアルファベット順に並べて表示する。但し、Ｗｅｂアプリケーション３０４ａは、撮影装置１０（保存領域ＭＹ１〜ＭＹ３）に保存されている設定情報セットと同一性が高いと推定されるものがある場合、各リンクボタンを必ずしもアルファベット順には並べない。
【００５７】
具体的には、Ｗｅｂアプリケーション３０４ａは、撮影装置１０に保存されている設定情報セットと同一性が高いと推定される設定情報セットへのリンクボタンを優先的に上位に並べて表示する。また、Ｗｅｂアプリケーション３０４ａは、このようなリンクボタンに所定の識別子を付して表示する。なお、「ＭＹ  ＳＥＴＴＩＮＧＳ」内の各設定情報セットのうち、撮影装置１０（保存領域ＭＹ１〜ＭＹ３）に保存されている設定情報セットと同一名称が付されたものが、撮影装置１０に保存されている設定情報セットと同一性が高いと推定される。
【００５８】
図５の例では、「ＭＹ  ＳＥＴＴＩＮＧＳ」において、「Ｐｏｒｔｒａｉｔ」、「Ｌａｎｄｓｃａｐｅ」、「Ｎｉｇｈｔ  Ｐｏｒｔｒａｉｔ」の名称が付された設定情報セットは、それぞれ、同一性が高い設定情報セットが保存領域ＭＹ１、ＭＹ２、ＭＹ３に保存されているものと推定される。そのため、「ＭＹ  ＳＥＴＴＩＮＧＳ」では、「Ｐｏｒｔｒａｉｔ」、「Ｌａｎｄｓｃａｐｅ」、「Ｎｉｇｈｔ  Ｐｏｒｔｒａｉｔ」の名称が付された設定情報セットへのリンクボタンが上位に並べて表示され、且つこれらのリンクボタンに「ＭＹ１」、「ＭＹ２」、「ＭＹ３」の識別子が付される。
【００５９】
図５に示されるトップ画面において「ＭＹ  ＳＥＴＴＩＮＧＳ」の「Ｌａｎｄｓｃａｐｅ」がタッチ操作されると、Ｗｅｂアプリケーション３０４ａは、「Ｌａｎｄｓｃａｐｅ」の名称が付された設定情報セットを編集するための編集画面に遷移する。図６に、「Ｌａｎｄｓｃａｐｅ」の名称が付された設定情報セットを編集するための編集画面を例示する。
【００６０】
図６に示されるように、編集画面には、「Ｎａｍｅ」及び「Ｄｅｓｃｒｉｐｔｉｏｎ」の入力フォームが表示される。「Ｎａｍｅ」の入力フォームは、設定情報セットの名称を編集するためのフォームである。ユーザは、必要に応じて設定情報セットの名称である「Ｌａｎｄｓｃａｐｅ」を編集することができる。「Ｄｅｓｃｒｉｐｔｉｏｎ」の入力フォームは、任意のテキストを入力するためのフォームである。ユーザは、例えば設定情報セットである「Ｌａｎｄｓｃａｐｅ」に関する説明文を入力することができる。
【００６１】
図６に示される編集画面には、各設定項目の設定値を変更するためのリンクボタンが含まれる。設定変更用のリンクボタンには、対象となる設定項目の名称に加えて現在の設定値が表示される。例えば、図６に示されるように、「シャッタスピード」へのリンクボタンには、現在の設定値（１／６０）が表示される。
【００６２】
設定変更用のリンクボタンがタッチ操作されると、その設定項目について設定値の候補一覧が表示される。候補一覧に並ぶ設定値の１つがタッチ操作されると、設定項目の設定値がタッチ操作された値に変更される。
【００６３】
例えば、「シャッタスピード」へのリンクボタンがタッチ操作されると、設定値の候補として、「１／４０００」、「１／２０００」、「１／１０００」、「１／５００」等の各値が表示される。「１／１０００」がタッチ操作されると、シャッタスピードの設定値が「１／１０００」に変更される。なお、デフォルト値から変更された設定値は、設定変更後の値であることをユーザに視覚的に伝えるため、強調表示（太字や特定の色で表示するなど）されてもよい。
【００６４】
図６に示されるように、編集画面の右上隅には、Ｄｅｌｅｔｅボタン４１２が表示される。Ｄｅｌｅｔｅボタン４１２がタッチ操作されると、編集画面上で編集中の設定情報セットが削除される。
【００６５】
また、編集画面には、アップロード（転送）ボタン（Ｕｐｌｏａｄ  ｔｏ  ＣＡＭＥＲＡ）が表示される。アップロードボタンがタッチ操作されると、Ｗｅｂアプリケーション３０４ａは、アップロード画面に遷移する。図７に、「Ｌａｎｄｓｃａｐｅ」の名称が付された設定情報セットをアップロードするときのアップロード画面を例示する。
【００６６】
なお、Ｗｅｂアプリケーション３０４ａと撮影装置１０は、アップロードボタンがタッチ操作された時点ではじめてＷｉ−Ｆｉ接続（自動接続）されてもよい。言い換えると、編集画面による設定情報セットの編集中は、Ｗｅｂアプリケーション３０４ａと撮影装置１０とが必ずしもＷｉ−Ｆｉ接続されていなくてもよい。Ｗｉ−Ｆｉ未接続時のトップ画面には、「ＭＹ  ＳＥＴＴＩＮＧＳ」が表示され、「ＳＥＴ  ＩＮ  ＣＡＭＥＲＡ」が表示されない。
【００６７】
図７に示されるように、アップロード画面には、アップロードされる設定情報セットの保存先の一覧が表示される。保存先は、撮影装置１０の保存領域と設定情報セットの名称とを並べた形式で表示される。例えば、保存領域ＭＹ１には、「Ｐｏｒｔｒａｉｔ」の名称が付された設定情報セットが保存されている。そのため、アップロード画面には「［ＭＹ１］Ｐｏｒｔｒａｉｔ」と表示される。
【００６８】
Ｗｅｂアプリケーション３０４ａは、アップロード画面に遷移する際、次の優先順位（１）〜（３）に従い、一覧（保存領域ＭＹ１〜ＭＹ３）の中からアップロード対象の設定情報セットの保存先を選択する。なお、ユーザは、下記の優先順位に従って選択された保存先を任意に変更操作することができる。
【００６９】
・優先順位（１）
アップロード対象と同一性が高いと推定される設定情報セットを保存している保存領域が保存領域ＭＹ１〜ＭＹ３の中にあるか否かが判定される。あると判定される場合、その保存領域がアップロード対象の保存先として選択される。ここでは、アップロード対象と同一名称が付された設定情報セットがアップロード対象と同一性が高いものと推定される。
【００７０】
図７の例では、アップロード対象と同一名称である「Ｌａｎｄｓｃａｐｅ」が付された設定情報セットが保存領域ＭＹ２に保存されている。そのため、図７に示されるように、保存領域ＭＹ２がアップロード対象の保存先として選択される。
・優先順位（２）
アップロード対象と同一性が高いと推定される設定情報セットを保存している保存領域が保存領域ＭＹ１〜ＭＹ３の中に無いと判定される場合、設定情報セットが保存されていない保存領域が保存領域ＭＹ１〜ＭＹ３の中にあるか否かが判定される。あると判定される場合、その保存領域がアップロード対象の保存先として選択される。
・優先順位（３）
設定情報セットが保存されていない保存領域が保存領域ＭＹ１〜ＭＹ３の中に無いと判定される場合、前回のアップロード時と同一の保存領域がアップロード対象の保存先として選択される。
【００７１】
アップロード画面の「Ｕｐｌｏａｄ」がタッチ操作されると、図６に示される編集画面上で編集された設定情報セットのデータが撮影装置１０にアップロードされる。なお、撮影装置１０の予期しないエラーの発生を避けるため、アップロード中、撮影装置１０に対する操作入力が無効にされる。但し、Ｗｅｂアプリケーション３０４ａと撮影装置１０とのＷｉ−Ｆｉ接続がアップロード中に途切れると、撮影装置１０に対する操作入力の無効を正常に解除できなくなる虞がある。そのため、撮影装置１０に対する操作入力の無効は、アップロードが正常に完了しなかった場合、所定のタイムアウト時間の経過後に解除される。
【００７２】
図５に示されるように、トップ画面の右上隅には、Ｎｅｗボタン４０４が表示される。Ｎｅｗボタン４０４がタッチ操作されると、ブランク又はデフォルト値の設定情報セットが新規作成される。
【００７３】
図５に示されるように、Ｎｅｗボタン４０４の隣には、コンフィグボタン４０６が表示される。コンフィグボタン４０６がタッチ操作されると、Ｗｅｂアプリケーション３０４ａは、コンフィグレーション画面に遷移する。図８に、コンフィグレーション画面を例示する。
【００７４】
図８に示されるように、コンフィグレーション画面には、「Ｌａｎｇｕａｇｅ」、「Ｔｒｉａｌ」、「Ｂａｃｋｕｐ  Ａｌｌ  ＭＹ  Ｓｅｔｔｉｎｇｓ」、「Ｒｅｓｔｏｒｅ  ｆｒｏｍ  Ｂａｃｋｕｐ」、「Ｒｅｓｅｔ  ＭＹ  Ｅｄｉｔ」、「Ａｂｏｕｔ  ＭＹ  Ｅｄｉｔ」が表示される。
【００７５】
コンフィグレーション画面の「Ｌａｎｇｕａｇｅ」では、Ｗｅｂアプリケーション３０４ａの使用言語の候補がプルダウンで表示される。ユーザは、プルダウンで表示された候補の中からＷｅｂアプリケーション３０４ａの使用言語を選択して、設定することができる。
【００７６】
コンフィグレーション画面の「Ｔｒｉａｌ」がオンに設定されると、ユーザは、撮影装置１０の有無に拘わらず、デモプログラム上でＷｅｂアプリケーション３０４ａの操作を体験することができる。
【００７７】
コンフィグレーション画面の「Ｂａｃｋｕｐ  Ａｌｌ  ＭＹ  Ｓｅｔｔｉｎｇｓ」がタッチ操作されると、トップ画面の「ＭＹ  ＳＥＴＴＩＮＧＳ」に並ぶ全ての設定情報セットのバックアップデータが作成されて、例えば携帯型情報処理端末２０に差し込まれているメモリカードやクラウドサーバ等の所定の記憶領域に保存される。
【００７８】
コンフィグレーション画面の「Ｒｅｓｔｏｒｅ  ｆｒｏｍ  Ｂａｃｋｕｐ」がタッチ操作されると、所定の記憶領域に保存されているバックアップデータに含まれる全ての設定情報セットが復元される。
【００７９】
コンフィグレーション画面の「Ｒｅｓｅｔ  ＭＹ  Ｅｄｉｔ」がタッチ操作されると、Ｗｅｂアプリケーション３０４ａの設定が初期化される。
【００８０】
コンフィグレーション画面の「Ａｂｏｕｔ  ＭＹ  Ｅｄｉｔ」がタッチ操作されると、Ｗｅｂアプリケーション３０４ａは、アバウト画面に遷移する。図９に、アバウト画面を例示する。
【００８１】
図９に示されるように、アバウト画面には、Ｗｅｂアプリケーション３０４ａのバージョンなど、所定の情報が表示される。また、アバウト画面の「ＭＹ  Ｅｄｉｔ  Ｔｏｕｒ」がタッチ操作されると、Ｗｅｂアプリケーション３０４ａの機能を紹介するデモ映像が流れる。
【００８２】
図５に示されるように、トップ画面の「ＳＥＴ  ＩＮ  ＣＡＭＥＲＡ」には、Ｗｉ−Ｆｉ接続されている撮影装置１０の各保存領域ＭＹ１〜ＭＹ３に保存されている設定情報セットがリスト表示される。「ＳＥＴ  ＩＮ  ＣＡＭＥＲＡ」では、保存領域ＭＹ１、ＭＹ２、ＭＹ３に保存されている設定情報セットの名称の前に、それぞれ、［ＭＹ１］、［ＭＹ２］、［ＭＹ３］の文字列が付される。図５の例では、「［ＭＹ１］Ｐｏｒｔｒａｉｔ」、「［ＭＹ２］Ｌａｎｄｓｃａｐｅ」、「［ＭＹ３］Ｎｉｇｈｔ  Ｐｏｒｔｒａｉｔ」の設定情報セットがリスト表示されている。
【００８３】
例えば「ＳＥＴ  ＩＮ  ＣＡＭＥＲＡ」の「［ＭＹ１］Ｐｏｒｔｒａｉｔ」がタッチ操作されると、Ｗｅｂアプリケーション３０４ａは、撮影装置１０の保存領域ＭＹ１に保存されている「Ｐｏｒｔｒａｉｔ」を直接編集するための編集画面に遷移する。編集画面上で設定項目の設定値が変更されると、その結果が撮影装置１０に即時に反映される。すなわち、保存領域ＭＹ１に保存されている設定情報セットがリアルタイムに更新される。撮影装置１０の予期しないエラーの発生を避けるため、設定値の変更中、撮影装置１０に対する操作入力が無効にされる。
【００８４】
トップ画面の「ＳＥＴ  ＩＮ  ＣＡＭＥＲＡ」には、「Ａｃｔｉｖｅ  Ｓｅｔ」のリンクボタンが含まれる。「Ａｃｔｉｖｅ  Ｓｅｔ」がタッチ操作されると、Ｗｅｂアプリケーション３０４ａは、撮影装置１０に現在設定されている設定情報セットを編集するための画面に遷移する。この画面上で設定項目の設定値が変更されると、撮影装置１０に現在設定されている設定情報セットがリアルタイムに更新される。撮影装置１０の予期しないエラーの発生を避けるため、設定値の変更中、撮影装置１０に対する操作入力が無効にされる。
【００８５】
Ｗｅｂアプリケーション３０４ａは、ユーザによる複製操作を受けると、「Ａｃｔｉｖｅ  Ｓｅｔ」の設定情報セットを複製し、「ＭＹ  ＳＥＴＴＩＮＧＳ」に並ぶ他の設定情報セットと同様に管理することができる。
【００８６】
「ＳＥＴ  ＩＮ  ＣＡＭＥＲＡ」の各設定情報セットには、撮影装置１０では対応しているが、Ｗｅｂアプリケーション３０４ａでは完全には対応していない値（例えば表示に未対応な値や設定変更不可な値など）が含まれる場合がある。
【００８７】
フォーカス距離を例示として挙げる。Ｗｅｂアプリケーション３０４ａが対応する（表示・設定変更が可能な）フォーカス距離は、例えば、１００ｍｍ、３００ｍｍ、１０００ｍｍ・・・である。Ｗｅｂアプリケーション３０４ａは、１５７ｍｍ等のフォーカス距離には対応していない。そのため、このようなフォーカス距離は、図６に示される編集画面上では代替の情報（例えば「その他」）で表示されて、バックグラウンドで管理（内部的には"CAM[157000]"等のデータ（ＲＡＷデータ）形式で保持）される。
【００８８】
図５に示されるトップ画面の「Ｔｕｒｎ  ＣＡＭ  Ｏｆｆ」がタッチ操作されると、撮影装置１０の電源がオフされる。
【００８９】
図６に示されるように、編集画面の右上隅には、シェアボタン４１４が表示される。シェアボタン４１４がタッチ操作されると、Ｗｅｂアプリケーション３０４ａは、エクスポート画面に遷移する。
【００９０】
［設定情報セットのエクスポート及びインポート］
Ｗｅｂアプリケーション３０４ａは、エクスポート画面に遷移する際、図１０に示されるシーケンスの実行を開始する。ここでは、携帯型情報処理端末２０ＡのＷｅｂアプリケーション３０４ａ上でシーケンスの実行が開始されたものとして、以降の説明を行う。
【００９１】
［図１０のＳ１１（エクスポートデータの作成）］
本処理ステップＳ１１では、エクスポートデータが作成される。エクスポートデータは、少なくとも、Ｗｅｂアプリケーション３０４ａをリクエストするＵＲＬ及び所定のクエリ文字列で構成される。クエリ文字列は、エクスポート対象の設定情報セット（ここでは「Ｌａｎｄｓｃａｐｅ」の名称が付された設定情報セット）のデータ及び該データのインポートを指示するコマンドを含む。
【００９２】
下記は、本処理ステップＳ１１で作成されるエクスポートデータの一例である。
【００９３】
（エクスポートデータ）
http://www.ricoh-imaging.co.jp/apps/my-edit/index.html?action=import&type=grMyset:v1&name=Landscape&data=<下記のdata>&sign=grMyset
【００９４】
エクスポートデータ内の<下記のdata>には、次の記述が含まれる。
desc=風景の撮影に最適な設定です&
Shooting Mode=Av&
Aperture=F 8.0
【００９５】
クエリ文字列は、<パラメータ名1>=<値1>&<パラメータ名2>=<値2>&・・・という構造になっている。すなわち、クエリ文字列では、各設定情報の項目（パラメータ）が<パラメータ名>=<値>の形式で記述され、且つ項目毎に&で区切られている。
【００９６】
クリエ文字列には、下記のパラメータが含まれる。
action:Ｗｅｂアプリケーション３０４ａの起動時に実行するコマンド
type:データ形式
name:データ名
data:データ内容
sign:データの終端を表すマーク
【００９７】
・actionパラメータの定義
actionパラメータは、Ｗｅｂアプリケーション３０４ａの起動時に実行するコマンドを指定する。本実施形態では、importコマンドが指定される。そのため、エクスポートデータを受信した端末側でのＷｅｂアプリケーション３０４ａの起動時に、エクスポート対象の設定情報セットのデータをインポートするかどうかが問い合わせられる。インポート対象のデータは、後続のパラメータ（type, name, data, sign）で指定される。
【００９８】
・typeパラメータの定義
typeパラメータは、actionパラメータに付随するデータの形式を表す。データの形式は、<データ形式種別>:<データ形式バージョン>となっている。例えば、上記のエクスポートデータに含まれる"grMyset:v1"は、設定情報セットのデータのバージョンが１であることを示す。データ形式が変更になると、バージョン番号が繰り上げられる。
【００９９】
・nameパラメータの定義
nameパラメータは、actionパラメータに付随するデータの名称を表す。データの形式は、<任意の文字列>となっている。<任意の文字列>には、例えば、Landscape等の設定情報セットに付される名称が入力される。
【０１００】
・dataパラメータの定義
dataパラメータは、actionパラメータに付随するデータの内容を表す。dataパラメータでは、各設定情報の項目が<名前>=<値>の形式で記述され、且つ項目毎に&で区切られている。名前と値は、ユニコード（ＵＴＦ−８）で記述される。dataパラメータ内のクエリ文字列は、記述方法が各設定情報の項目で共通化されている。これにより、エクスポートデータに対する処理が各項目で共通化される。
【０１０１】
dataパラメータには、撮影装置１０のデフォルト値と異なる設定値を持つ項目の差分値のみが含まれる。dataパラメータとして差分値のみを記述することにより、ＵＲＬで許容される文字列を超えることが避けられると共に、エクスポートデータのサイズが抑えられる。
【０１０２】
dataパラメータには、Ｗｅｂアプリケーション３０４ａで未対応の値も記述される。例えば、上述したように、フォーカス距離の設定値が１５７ｍｍである場合を考える。この場合、フォーカス距離については、Focus=CAM[157000]と記述される。これにより、フォーカス距離の設定値をインポート先と共有することが可能となる。
【０１０３】
・signパラメータの定義
signパラメータは、actionパラメータに付随するデータの終端を表す。上記のエクスポートデータ例では、その終端を示す値として"grMyset"が記述されている。Ｗｅｂアプリケーション３０４ａの起動時に付随するデータを処理する際、終端を示す値が確認されることにより、エクスポートデータの正当性が保証される。例えば、何らかの不具合が発生してクエリ文字列が途切れた場合等における不適正なエクスポートデータのインポートを防ぐことができる。
【０１０４】
上記に例示されるエクスポートデータは、ＵＴＦ−８でエンコードされることにより、ＵＲＬとして用いてよい文字列のみに変換される。なお、エクスポートデータは、=や&がエンコード前と区別されるように、別の文字列（例えば%3Dや%26）に変換される。下記に、変換後のエクスポートデータを例示する。
【０１０５】
（変換後のエクスポートデータ）
http://www.ricoh-imaging.co.jp/apps/my-edit/index.html?action=import&type=grMyset%3Av1&name=Landscape&data=desc%3D%25E9%25A2%25A8%25E6%2599%25AF%25E3%2581%25AE%25E6%2592%25AE%25E5%25BD%25B1%25E3%2581%25AB%25E6%259C%2580%25E9%2581%25A9%25E3%2581%25AA%25E8%25A8%25AD%25E5%25AE%259A%25E3%2581%25A7%25E3%2581%2599%26Shooting%2BMode%3DAv%26Aperture%3DF%2B8.0&sign=grMyset
【０１０６】
［図１０のＳ１２（エクスポート画面の表示）］
本処理ステップＳ１２では、エクスポート画面が表示される。図１１に、「Ｌａｎｄｓｃａｐｅ」の名称が付された設定情報セットをエクスポートするときのエクスポート画面を例示する。
【０１０７】
図１１に示されるように、エクスポート画面には、エクスポート対象の設定情報セットに付された名称が表示され、その下方に、「ＵＲＬ  ｔｏ  Ｉｍｐｏｒｔ」の入力フォームが表示される。
【０１０８】
「ＵＲＬ  ｔｏ  Ｉｍｐｏｒｔ」の入力フォームには、エクスポート画面に遷移する際、エンコード後のエクスポートデータが自動で貼り付けられる。
【０１０９】
［図１０のＳ１３（エクスポートデータの送信）］
エクスポート画面には、「Ｓｅｎｄ  Ｍａｉｌ」が表示される。「Ｓｅｎｄ  Ｍａｉｌ」がタッチ操作されると、携帯型情報処理端末２０内のメーラが自動起動して、新規メールが自動作成される。作成された新規メールのタイトル又は本文には、「ＵＲＬ  ｔｏ  Ｉｍｐｏｒｔ」の入力フォームに貼り付けられたエクスポートデータが貼り付けられている。
【０１１０】
本処理ステップＳ１３では、ユーザにより指定された宛先に自動作成された新規メールが送信される。ここでは、携帯型情報処理端末２０Ｂにメールが送信されたものとして、以降の説明を行う。
【０１１１】
［図１０のＳ１４（Ｗｅｂアプリケーション３０４ａのリクエスト）］
本処理ステップＳ１４は、携帯型情報処理端末２０Ｂにおいて、受信メールに貼り付けられたエクスポートデータが選択されると実行が開始される。本処理ステップＳ１４では、ブラウザ２０４ｂは、Ｗｅｂサーバ３０にアクセスして、Ｗｅｂアプリケーション３０４ａをリクエストする。
【０１１２】
［図１０のＳ１５（Ｗｅｂアプリケーション３０４ａのダウンロード）］
携帯型情報処理端末２０Ｂのブラウザ２０４ｂは、Ｗｅｂサーバ３０よりＷｅｂアプリケーション３０４ａをダウンロードする。
【０１１３】
［図１０のＳ１６（Ｗｅｂアプリケーション３０４ａの自動起動）］
携帯型情報処理端末２０Ｂのブラウザ２０４ｂは、ダウンロードしたＷｅｂアプリケーション３０４ａを解釈等する。これにより、携帯型情報処理端末２０Ｂ上でＷｅｂアプリケーション３０４ａが起動される。すなわち、本処理ステップＳ１６では、Ｗｅｂアプリケーション３０４ａが携帯型情報処理端末２０Ｂ上で自動起動される。
【０１１４】
［図１０のＳ１７（エクスポートデータのインポート）］
図１２に、携帯型情報処理端末２０Ｂにおいて、Ｗｅｂアプリケーション３０４ａが自動起動されたときの画面例を示す。図１２に示されるように、Ｗｅｂアプリケーション３０４ａが自動起動されると、エクスポートデータをインポートするか否かを問い合わせるポップアップ画面が表示される。
【０１１５】
本処理ステップＳ１７では、ポップアップ画面の「Ａｄｄ」がタッチ操作されると、エクスポートデータ（ここでは、「Ｌａｎｄｓｃａｐｅ」の名称が付された設定情報セット）が携帯型情報処理端末２０ＢのＷｅｂアプリケーション３０４ａにインポートされて、「ＭＹ  ＳＥＴＴＩＮＧＳ」に追加される。ポップアップ画面の「Ｃａｎｃｅｌ」がタッチ操作されると、エクスポートデータが携帯型情報処理端末２０ＢのＷｅｂアプリケーション３０４ａにインポートされず、ポップアップ画面が消去される。
【０１１６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【符号の説明】
【０１１７】
１  設定情報管理システム
１０  撮影装置
２０  携帯型情報処理
３０  Ｗｅｂサーバ
１００  システムコントローラ
１０２  操作部
１０４  駆動回路
１０６  撮影レンズ
１０８  絞り
１１０  シャッタ
１１２  固体撮像素子
１１４  信号処理回路
１１６  画像処理エンジン
１１８  バッファメモリ
１２０  ＬＣＤ
１２２  ＲＯＭ
１２４  不揮発性メモリ
１２６  カード用インタフェース
１２８  Ｗｉ−Ｆｉインタフェース
２００  ＣＰＵ
２０２  主記憶装置
２０４  補助記憶装置
２０４ａ  ＯＳ
２０４ｂ  ブラウザ
２０６  キャリア通信インタフェース
２０８  Ｗｉ−Ｆｉインタフェース
２１０  タッチパネル
３００  ＣＰＵ
３０２  主記憶装置
３０４  補助記憶装置
３０４ａ  Ｗｅｂアプリケーション
３０６  通信インタフェース
【図１】
0006598136.tif 000002
【図２】
0006598136.tif 000003
【図３】
0006598136.tif 000004
【図４】
0006598136.tif 000005
【図５】
0006598136.tif 000006
【図６】
0006598136.tif 000007
【図７】
0006598136.tif 000008
【図８】
0006598136.tif 000009
【図９】
0006598136.tif 000010
【図１０】
0006598136.tif 000011
【図１１】
0006598136.tif 000012
【図１２】
0006598136.tif 000013